(57)【要約】【課題】  コストの上昇を抑制しながら、色成分光の合成又は分離を可能とする光学素子及び投写型映像表示装置を提供する。【解決手段】  クロスダイクロイックミラー２０は、第１ダイクロイックミラー６１０と、一対の第２ダイクロイックミラー６２０とを備える。一対の第２ダイクロイックミラー６２０は、第１ダイクロイックミラー６１０に配置される。第１ダイクロイックミラー６１０の第１ミラー面６１１のみに対して、第１ミラー面内の分光特性を調整するグラデーション処理が施されている。【選択図】  図６
2012155155.tif 000002
【特許請求の範囲】
【請求項１】
第１ダイクロイックミラーと、一対の第２ダイクロイックミラーとを備えた光学素子であって、
前記第１ダイクロイックミラーは、第１色成分光を反射して、第２色成分光を透過する第１ミラー面と、前記第１ミラー面の反対側に設けられた第１主面とを有しており、
前記一対の第２ダイクロイックミラーのそれぞれは、第３色成分光を反射して、前記第２色成分光を透過する第２ミラー面と、前記第２ミラー面の反対側に設けられた第２主面とを有しており、
前記一対の第２ダイクロイックミラーのうち、一方の第２ダイクロイックミラーは、前記第１ミラー面に対して前記第２ミラー面が垂直となるように前記第１ミラー面に配置されており、
前記一対の第２ダイクロイックミラーのうち、他方の第２ダイクロイックミラーは、前記第１主面に対して前記第２ミラー面が垂直となるように前記第１主面に配置されており、
前記第１ミラー面のみに対して、前記第１ミラー面内の分光特性を調整するグラデーション処理が施されていることを特徴とする光学素子。
【請求項２】
前記第１色成分光の波長帯と前記第２色成分光の波長帯との間隔は、前記第３色成分光の波長帯と前記第２色成分光の波長帯との間隔よりも狭いことを特徴とする請求項１に記載の光学素子。
【請求項３】
請求項１又は請求項２に記載の光学素子を備えることを特徴とする投写型映像表示装置。
【請求項４】
前記第２色成分光を出射する光源は、前記第１色成分光及び前記第３色成分光を出射する光源よりも、前記光学素子に近接して配置されることを特徴とする請求項３に記載の投写型映像表示装置。
【発明の詳細な説明】
【技術分野】
【０００１】
本発明は、色成分光を分離又は合成する光学素子及び投写型映像表示装置に関する。
【背景技術】
【０００２】
従来、赤色成分光、緑色成分光及び青色成分光を色合成部によって合成して、液晶パネルやＤＭＤ（Ｄｉｇｉｔａｌ  Ｍｉｃｒｏｍｉｒｒｏｒ  Ｄｅｖｉｃｅ）などの光変調素子によって各色成分光を変調する投写型映像表示装置が知られている。色合成部は、一の色成分光を反射して他の色成分光を透過するダイクロイックミラーなどによって構成される。
【０００３】
一般的に、ダイクロイックミラーは、色成分光の光軸に対して所定の傾斜角度（例えば、４５°）を有する。従って、ダイクロイックミラーに色成分光が入射する角度は、ダイクロイックミラーにおける色成分光の入射位置に応じて異なる。
【０００４】
一方で、色成分光の入射角度に応じてカットオフ波長がシフトするため、色成分光の適切な合成又は分離を実現することができない。従って、色成分光の入射角度の違いを調整するために、色成分光の入射位置（入射角度）に応じてダイクロックミラーの膜厚の厚みが調整されたダイクロイックミラーが知られている（例えば、特許文献１）。
【先行技術文献】
【特許文献】
【０００５】
【特許文献１】特開２００９−１８６７０４号公報
【発明の概要】
【発明が解決しようとする課題】
【０００６】
一方で、２種類のダイクロイックミラーがクロスするように、２種類のダイクロイックミラーを組み合わせたクロスダイクロイックキューブも知られている。具体的には、クロスダイクロイックキューブでは、第１ダイクロイックミラーに対して、１対の第２ダイクロイックミラーが接着される。詳細には、第１ダイクロイックミラーの第１主面に対して一方の第２ダイクロイックミラーが接着されており、第１ダイクロイックミラーの第２主面に対して他方の第２ダイクロイックミラーが接着される。
【０００７】
しかしながら、第１ダイクロイックミラー及び第２ダイクロイックミラーの双方について、ダイクロックミラーの膜厚の厚みを調整すると、クロスダイクロイックキューブのコストが上昇してしまう。
【０００８】
そこで、本発明は、上述した課題を解決するためになされたものであり、コストの上昇を抑制しながら、色成分光の合成又は分離を可能とする光学素子及び投写型映像表示装置を提供することを目的とする。
【課題を解決するための手段】
【０００９】
第１の特徴に係る光学素子（クロスダイクロイックミラー２０）は、第１ダイクロイックミラー（第１ダイクロイックミラー６１０）と、一対の第２ダイクロイックミラー（第２ダイクロイックミラー６２０）とを備える。前記第１ダイクロイックミラーは、第１色成分光を反射して、第２色成分光を透過する第１ミラー面（第１ミラー面６１１）と、前記第１ミラー面の反対側に設けられた第１主面（第１主面６１２）とを有する。前記一対の第２ダイクロイックミラーのそれぞれは、第３色成分光を反射して、前記第２色成分光を透過する第２ミラー面（第２ミラー面６２１）と、前記第２ミラー面の反対側に設けられた第２主面（第２主面６２２）とを有する。前記一対の第２ダイクロイックミラーのうち、一方の第２ダイクロイックミラーは、前記第１ミラー面に対して前記第２ミラー面が垂直となるように前記第１ミラー面に配置される。前記一対の第２ダイクロイックミラーのうち、他方の第２ダイクロイックミラーは、前記第１主面に対して前記第２ミラー面が垂直となるように前記第１主面に配置される。前記第１ミラー面のみに対して、前記第１ミラー面内の分光特性を調整するグラデーション処理が施されている。
【００１０】
第１の特徴において、前記第１色成分光の波長帯と前記第２色成分光の波長帯との間隔は、前記第３色成分光の波長帯と前記第２色成分光の波長帯との間隔よりも狭い。
【００１１】
第２の特徴に係る投写型映像表示装置は、第１の特徴に係る光学素子を備える。
【００１２】
第２の特徴において、前記第２色成分光を出射する光源は、前記第１色成分光及び前記第３色成分光を出射する光源よりも、前記光学素子に近接して配置される。
【発明の効果】
【００１３】
本発明によれば、コストの上昇を抑制しながら、色成分光の合成又は分離を可能とする光学素子及び投写型映像表示装置を提供することを目的とする。
【図面の簡単な説明】
【００１４】
【図１】図１は、第１実施形態に係る投写型映像表示装置１００の概略を示す図である。
【図２】図２は、第１実施形態に係る投写型映像表示装置１００の概略を示す図である。
【図３】図３は、第１実施形態に係る投写型映像表示装置１００の詳細を示す図である。
【図４】図４は、第１実施形態に係る投写型映像表示装置１００の詳細を示す図である。
【図５】図５は、第１実施形態に係る冷却ユニット４００の詳細を示す図である。
【図６】図６は、第１実施形態に係るクロスダイクロイックミラー２０の詳細を示す図である。
【図７】図７は、第１実施形態に係る光源１０の配置を示す図である。
【発明を実施するための形態】
【００１５】
以下において、本発明の実施形態に係る投写型映像表示装置について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係る光学素子は、第１ダイクロイックミラーと、一対の第２ダイクロイックミラーとを備える。第１ダイクロイックミラーは、第１色成分光を反射して、第２色成分光を透過する第１ミラー面と、第１ミラー面の反対側に設けられた第１主面とを有する。一対の第２ダイクロイックミラーのそれぞれは、第３色成分光を反射して、第２色成分光を透過する第２ミラー面と、第２ミラー面の反対側に設けられた第２主面とを有する。一対の第２ダイクロイックミラーのうち、一方の第２ダイクロイックミラーは、第１ミラー面に対して第２ミラー面が垂直となるように第１ミラー面に配置される。一対の第２ダイクロイックミラーのうち、他方の第２ダイクロイックミラーは、第１主面に対して第２ミラー面が垂直となるように第１主面に配置される。第１ミラー面のみに対して、第１ミラー面内の分光特性を調整するグラデーション処理が施されている。
【００１８】
実施形態では、第２ミラー面に対してグラデーション処理が施されておらず、第１ミラー面のみに対してグラデーション処理が施されている。従って、コストの上昇を抑制しながら、色成分光の合成又は分離を行うことができる。
【００１９】
実施形態では、グラデーション処理が施される第１ミラー面は分離されていないミラー面である。従って、グラデーション処理が容易である。
【００２０】
［第１実施形態］
（投写型映像表示装置の概略）
以下において、第１実施形態に係る投写型映像表示装置の概略について、図面を参照しながら説明する。図１は、第１実施形態に係る投写型映像表示装置１００（床面投写）を示す図である。図２は、第１実施形態に係る投写型映像表示装置１００（壁面投写）を示す図である。
【００２１】
図１及び図２に示すように、投写型映像表示装置１００は、筐体２００を有しており、投写面（不図示）に映像を投写する。投写面は、図１に示すように、床面に設けられていてもよく、図２に示すように、壁面に設けられてもよい。
【００２２】
なお、筐体２００には、映像光を透過する透過領域２１１が設けられている。筐体２００には、吸気口２１２（吸気口２１２Ａ及び吸気口２１２Ｂ）及び排気口２１３（排気口２１３Ａ及び排気口２１３Ｂ）が設けられている。
【００２３】
（投写型映像表示装置の詳細）
以下において、第１実施形態に係る投写型映像表示装置の詳細について、図面を参照しながら説明する。図３及び図４は、投写型映像表示装置１００の詳細を示す図である。図３は、図１及び図２に示すＡ方向から投写型映像表示装置１００を見た斜視図である（正面視）。図４は、図３に示すＢ方向から投写型映像表示装置１００を見た斜視図である（背面視）。なお、図３及び図４では、筐体２００を透過して、投写型映像表示装置１００の内部構成が示されている。
【００２４】
図３及び図４に示すように、投写型映像表示装置１００は、光源１０（光源１０Ｒ、光源１０Ｇ及び光源１０Ｂ）と、クロスダイクロイックミラー２０と、折り曲げミラー３０と、ＤＭＤ４０と、投写ユニット５０とを有する。
【００２５】
光源１０Ｒは、赤成分光Ｒを出射する光源であり、例えば、赤ＬＥＤ（Ｌｉｇｈｔ  Ｅｍｉｔｔｉｎｇ  Ｄｉｏｄｅ）や赤ＬＤ（Ｌａｓｅｒ  Ｄｉｏｄｅ）である。光源１０Ｇは、緑成分光Ｇを出射する光源であり、例えば、緑ＬＥＤや緑ＬＤである。光源１０Ｂは、青成分光Ｂを出射する光源であり、例えば、青ＬＥＤや青ＬＤである。
【００２６】
クロスダイクロイックミラー２０は、光源１０Ｇから出射される緑成分光Ｇを透過し、光源１０Ｂから出射される青成分光Ｂを反射する。また、クロスダイクロイックミラー２０は、緑成分光Ｇを透過し、光源１０Ｒから出射される赤成分光Ｒを反射する。なお、クロスダイクロイックミラー２０の詳細については後述する（図６を参照）。
【００２７】
折り曲げミラー３０は、クロスダイクロイックミラー２０から出射された色成分光をＤＭＤ４０側に反射する。
【００２８】
ＤＭＤ４０は、複数の微小ミラーによって構成されており、複数の微小ミラーは可動式である。ＤＭＤ４０は、各微小ミラーの角度を変更することによって、折り曲げミラー３０で反射された光を投写ユニット５０へ反射するか否かを切り替える。
【００２９】
ここで、ＤＭＤ４０の中心は、投写ユニット５０の光軸からシフトしていることに留意すべきである。具体的には、ＤＭＤ４０の中心は、投写ユニット５０の光軸よりも、図２に示すＢ方向（すなわち、映像光の投写領域側）にシフトしている。
【００３０】
投写ユニット５０は、ＤＭＤ４０から出射される映像光を投写面に投写する。例えば、投写ユニット５０は、投写レンズ群５１と、反射ミラー５２とを有する。
【００３１】
投写レンズ群５１は、ＤＭＤ４０から出射される映像光を反射ミラー５２側に出射する。投写レンズ群５１は、投写ユニット５０の光軸を中心とする略円形形状のレンズ、投写ユニット５０の光軸を中心とする略円形形状の一部分によって構成される形状（例えば、下半分の半円形状）のレンズなどを含む。
【００３２】
なお、投写ユニット５０に含まれるレンズの径は、反射ミラー５２に近いほど大きいことに留意すべきである。
【００３３】
反射ミラー５２は、ＤＭＤ４０から出射された映像光を投写面側に反射する。反射ミラー５２は、例えば、ＤＭＤ４０側に凹面を有する非球面ミラーである。
【００３４】
図３及び図４に戻って、投写型映像表示装置１００は、ファン３１１（ファン３１１Ａ及びファン３１１Ｂと、ダクト３１２（ダクト３１２Ａ及びダクト３１２Ｂ）とを有する。
【００３５】
ファン３１１は、ダクト３１２によって形成される空気流路内において、吸気口２１２から排気口２１３への空気流を形成する。具体的には、ファン３１１Ａは、筐体２００の外部の空気を吸気口２１２Ａからダクト３１２Ａの内部に導くファンである。ファン３１１Ｂは、筐体２００の外部の空気を吸気口２１２Ａからダクト３１２Ｂの内部に導くファンである。
【００３６】
ダクト３１２は、吸気口２１２から排気口２１３への空気流路を形成する。なお、ダクト３１２は、空気流路の一部のみを形成していてもよい。具体的には、ダクト３１２Ａは、吸気口２１２Ａから排気口２１３Ａへの空気流路を形成する。また、ダクト３１２Ｂは、吸気口２１２Ｂから排気口２１３Ｂへの空気流路を形成する。
【００３７】
投写型映像表示装置１００は、冷却ユニット４００（冷却ユニット４００Ｒ、冷却ユニット４００Ｇ、冷却ユニット４００Ｂ、冷却ユニット４００Ｘ、冷却ユニット４００Ｙ）を有する。
【００３８】
冷却ユニット４００Ｒは、光源１０Ｒを冷却する。第１実施形態では、冷却ユニット４００Ｒは、放熱フィン４３０Ｒである。
【００３９】
冷却ユニット４００Ｇは、光源１０Ｇを冷却する。冷却ユニット４００Ｂは、光源１０Ｂを冷却する。冷却ユニット４００Ｇ及び冷却ユニット４００Ｂは、受熱部４１０（受熱部４１０Ｇ、受熱部４１０Ｂ）と、ヒートパイプ４２０（ヒートパイプ４２０Ｇ、ヒートパイプ４２０Ｂ）と、放熱フィン４３０（放熱フィン４３０Ｇ、放熱フィン４３０Ｂ）を有する。
【００４０】
なお、冷却ユニット４００Ｇ及び冷却ユニット４００Ｂは、本明細書に係る冷却ユニットの一例である。また、冷却ユニット４００Ｇ及び冷却ユニット４００Ｂの詳細については後述する（図５を参照）。
【００４１】
冷却ユニット４００Ｘは、ＤＭＤ４０を冷却する。第１実施形態では、冷却ユニット４００Ｘは、放熱フィン４３０Ｘである。
【００４２】
冷却ユニット４００Ｙは、光源１０を駆動するドライバ基板５００（図４を参照）を冷却する。第１実施形態では、冷却ユニット４００Ｙは、放熱フィン４３０Ｙである。
【００４３】
（冷却ユニットの詳細）
以下において、第１実施形態に係る冷却ユニットの詳細について、図面を参照しながら説明する。図５は、第１実施形態に係る冷却ユニット４００の詳細を示す図である。
【００４４】
図５に示すように、冷却ユニット４００（冷却ユニット４００Ｇ及び冷却ユニット４００Ｂ）は、受熱部４１０と、ヒートパイプ４２０と、放熱フィン４３０とを有する。
【００４５】
受熱部４１０は、熱源から熱を受け取る。ヒートパイプ４２０は、放熱フィン４３０に熱を伝達する。放熱フィン４３０は、冷却用空気の空気流路上に配置される。
【００４６】
すなわち、受熱部４１０Ｇが光源１０Ｇの熱を受け取り、ヒートパイプ４２０Ｇが光源１０Ｇの熱を放熱フィン４３０Ｇに伝達する。同様に、受熱部４１０Ｂが光源１０Ｂの熱を受け取り、ヒートパイプ４２０Ｂが光源１０Ｂの熱を放熱フィン４３０Ｂに伝達する。
【００４７】
ここで、各冷却ユニット４００は、複数の放熱フィン４３０を有する。複数の放熱フィン４３０は、ヒートパイプ４２０に連結されており、ヒートパイプ４２０の延長方向に沿って所定間隔で配置される。
【００４８】
（光学素子の詳細）
以下において、第１実施形態に係る光学素子の詳細について、図面を参照しながら説明する。図６は、クロスダイクロイックミラー２０の詳細を示す図である。
【００４９】
図６に示すように、クロスダイクロイックミラー２０は、第１ダイクロイックミラー６１０と、一対の第２ダイクロイックミラー６２０（第２ダイクロイックミラー６２０Ａ、第２ダイクロイックミラー６２０Ｂ）とを有する。
【００５０】
第１ダイクロイックミラー６１０は、青成分光Ｂ（第１色成分光）を反射して、緑成分光Ｇ（第２色成分光）を透過する第１ミラー面６１１と、第１ミラー面６１１の反対側に設けられた第１主面６１２とを有する。
【００５１】
一対の第２ダイクロイックミラー６２０のそれぞれは、赤成分光Ｒ（第３色成分光）を反射して、緑成分光Ｇ（第２色成分光）を透過する第２ミラー面６２１（第２ミラー面６２１Ａ、第２ミラー面６２１Ｂ）と、第２ミラー面６２１の反対側に設けられた第２主面６２２（第２主面６２２Ａ、第２主面６２２Ｂ）とを有する。
【００５２】
第２ダイクロイックミラー６２０Ａは、第１ミラー面６１１に対して第２ミラー面６２１Ａが垂直となるように第１ミラー面６１１に配置される。第２ダイクロイックミラー６２０Ｂは、第１主面６１２に対して第２ミラー面６２１Ｂが垂直となるように第１主面６１２に配置される。
【００５３】
なお、第２ダイクロイックミラー６２０Ａは、第１ミラー面６１１に接着されてもよく、第２ダイクロイックミラー６２０Ｂは、第１主面６１２に接着されてもよい。或いは、第２ダイクロイックミラー６２０Ａ及び第２ダイクロイックミラー６２０Ｂは、クロスダイクロイックミラー２０の外側に設けられた固定部材によって、第１ダイクロイックミラー６１０に押し当てられてもよい。言い換えると、第２ダイクロイックミラー６２０Ａ及び第２ダイクロイックミラー６２０Ｂは、固定部材によって挟み込まれることによって、第１ミラー面６１１及び第１主面６１２に配置される。
【００５４】
第１実施形態では、第１ダイクロイックミラー６１０の第１ミラー面６１１のみに対して、第１ミラー面６１１内の分光特性を調整するグラデーション処理が施されている。なお、分光特性は、例えば、第１ダイクロイックミラー６１０の膜厚の厚みを変更することによって調整される。
【００５５】
ここで、第１実施形態では、青成分光Ｂの波長帯と緑成分光Ｇの波長帯との間隔は、赤成分光Ｒの波長帯と緑成分光Ｇの波長帯との間隔よりも狭い。従って、青成分光Ｂを反射して緑成分光Ｇを透過する第１ミラー面６１１のみに対してグラデーション処理が施されている。
【００５６】
一方で、赤成分光Ｒ及び緑成分光Ｇの波長間隔において第２ミラー面６２１のカットオフ波長の広がりが占める割合が青成分光Ｂ及び緑成分光Ｇの波長間隔において第１ミラー面６１１のカットオフ波長の広がりが占める割合よりも小さいため、赤成分光Ｒを反射して緑成分光Ｇを透過する第２ミラー面６２１に対してグラデーション処理を施さなくても、赤成分光Ｒ及び緑成分光Ｇを適切に合成することができる。
【００５７】
このように、第１実施形態では、波長帯の間隔が狭い色成分光を合成する第１ミラー面６１１のみに対してグラデーション処理が施されている。また、分離されていない第１ミラー面６１１のみに対してグラデーション処理が施されている。
【００５８】
第１実施形態では、図６に示すように、第２ミラー面６２１Ａ及び第２ミラー面６２１Ｂの垂直方向（Ｐ方向又はＱ方向）において、第２ミラー面６２１Ａの延長面及び第２ミラー面６２１Ｂの延長面がずれるように、第２ダイクロイックミラー６２０Ａ及び第２ダイクロイックミラー６２０Ｂが配置される。
【００５９】
第２ミラー面６２１Ａの延長面は、第２ミラー面６２１Ｂの延長面に対して、Ｐ方向にずれていてもよく、Ｑ方向にずれていてもよい。
【００６０】
ここで、第２ミラー面６２１Ａの延長面と第２ミラー面６２１Ｂの延長面とのずれ量ｄは、例えば、以下の式によって求められる。
【数１】
2012155155.tif 000003
【００６１】
なお、図６に示すように、“θ”は、第１主面６１２に対する緑成分光Ｇの入射角である。“ｎ”は、第１ダイクロイックミラー６１０の屈折率である。“ａ”は、第１ダイクロイックミラー６１０の厚みである。
【００６２】
これによって、緑成分光Ｇの入射方向（Ｒ方向）から見た場合に、緑成分光Ｇの光路上において、面ＳＡと面ＳＢとの重複領域が最大となる。これによって、面ＳＡ及び面ＳＢの通過に伴う緑成分光Ｇの損失を低減することができる。
【００６３】
なお、面ＳＡは、第２ダイクロイックミラー６２０Ａと第１ミラー面６１１との境界面であり、面ＳＢは、第２ダイクロイックミラー６２０Ｂと第１主面６１２との境界面である。
【００６４】
（光源の配置）
以下において、第１実施形態に係る光源の配置について、図面を参照しながら説明する。図６は、光源１０の配置を示す図である。
【００６５】
図６に示すように、光源１０Ｇは、光源１０Ｂ及び光源１０Ｒよりも、クロスダイクロイックミラー２０に近接して配置される。すなわち、クロスダイクロイックミラー２０を透過する緑成分光Ｇを出射する光源１０Ｇは、クロスダイクロイックミラー２０に近接して配置される。
【００６６】
（作用及び効果）
第１実施形態では、第２ミラー面６２１に対してグラデーション処理が施されておらず、第１ミラー面６１１のみに対してグラデーション処理が施されている。従って、コストの上昇を抑制しながら、色成分光の合成又は分離を行うことができる。
【００６７】
第１実施形態では、グラデーション処理が施される第１ミラー面６１１は分離されていないミラー面である。従って、グラデーション処理が容易である。
【００６８】
第１実施形態では、波長帯の間隔が狭い色成分光を合成する第１ミラー面６１１に対して、グラデーション処理が施される。言い換えると、入射光の入射角度の違いに起因するカットオフ波長のシフトについて、要求条件が厳しい第１ミラー面６１１に対して、グラデーション処理が施される。従って、色成分光の合成を適切に行うことができる。
【００６９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７０】
実施形態では、クロスダイクロイックミラー２０が色成分光の合成に用いられる。しかしながら、実施形態は、これに限定されるものではない。クロスダイクロイックミラー２０が色成分光の分離に用いられてもよい。
【符号の説明】
【００７１】
１０…光源、２０…クロスダイクロイックミラー、３０…折り返しミラー、４０…ＤＭＤ、５０…投写ユニット、５１…投写レンズ群、５２…反射ミラー、１００…投写型映像表示装置、２００…筐体、２１１…透過領域、２１２…吸気口、２１３…排気口、３１１…ファン、３１２…ダクト、４００…冷却ユニット、４１０…受熱部、４２０…ヒートパイプ、４３０…放熱フィン、６１０…第１ダイクロイックミラー、６１１…第１ミラー面、６１２…第１主面、６２０…第２ダイクロイックミラー、６２１…第２ミラー面、６２２…第２主面
【図１】
2012155155.tif 000004
【図２】
2012155155.tif 000005
【図３】
2012155155.tif 000006
【図４】
2012155155.tif 000007
【図５】
2012155155.tif 000008
【図６】
2012155155.tif 000009
【図７】
2012155155.tif 000010